(57)【要約】【課題】八角形等の多角筒状の周壁を有する箱を、ワンタッチで所定形状に組み立てることができ、その形状に保形されるようにする。【解決手段】対角位置に隅斜面を有する角筒状の周壁１１を形成するため、各一対の側面板１２及び端面板１３、並びに隅板１４を連設し、側面板１２及び端面板１３の下端からそれぞれ底側板１６及び底端板１７を延出し、底面には、側底稜線１８及び端底稜線１９に対して４５°の角度をなす斜折線１６ａを入れ、底側板１６と底端板１７とを斜折線１６ａの片側で貼り合わせ、斜折線１６ａに沿った谷折りに伴い、偏平に折畳可能とし、その折畳状態から周壁１１を立体化すると、底組が完了するようにしたワンタッチ箱において、底端板１７に、端底稜線１９に平行する横折線１７ａを入れ、折畳時には、隅板１４が折れ曲がることなく、底端板１７が横折線１７ａに沿って山折りされるようにする。【選択図】図４
2014184967.tif 000002
【特許請求の範囲】
【請求項１】
対角位置に隅斜面を有する角筒状の周壁(11)を形成するため、各一対の側面及び端面をなす側面板(12)及び端面板(13)並びに隅斜面をなす隅板(14)を連設し、側面板(12)及び端面板(13)の下端からそれぞれ底面をなす底側板(16)及び底端板(17)を延出し、底面には、側面及び端面と底面との境界である側底稜線(18)及び端底稜線(19)に対して４５°の角度をなすように、一組の対角位置にある隅方向へ向けて斜折線(16a)を入れ、底側板(16)と底端板(17)とを斜折線(16a)の片側で貼り合わせ、斜折線(16a)に沿った谷折りに伴い、偏平に折畳可能とし、その折畳状態から周壁(11)を立体化すると、底組が完了するようにしたワンタッチ箱において、前記底端板(17)に、端底稜線(19)に平行する横折線(17a)を入れ、折畳時には、隅板(14)が折れ曲がることなく、底端板(17)が横折線(17a)に沿って山折りされるようにしたことを特徴とするワンタッチ箱。
【請求項２】
前記斜折線(16a)は、端底稜線(19)の中央から側面に平行する方向へ延ばした延長線(m)を仮想すると共に、端面板の幅の１／２である距離(A)に、隅板(14)の幅である距離(B)を加算した距離(C)だけ、側底稜線(18)の隅板(14)に対して離れた位置から端底稜線(19)に平行する方向へ延ばした延長線(n)を仮想したとき、この延長線(m,n)の交点を基準点(s)として、側底稜線(18)の方向へ延びるものとし、前記横折線(17a)と端底稜線(19)との距離(D)は、斜折線(16a)又はその延長線が側底稜線(18)に達する位置と端底稜線(19)との距離(E)の１／２となるようにしたことを特徴とする請求項１に記載のワンタッチ箱。
【請求項３】
請求項１又は２に記載のワンタッチ箱を内箱(1)として、これに外箱(2)を被せた２ピース構造とし、前記外箱(2)は、周壁(21)が内箱(1)の周壁(11)の外側に沿うものとし、外箱(2)の周壁(21)と内箱(1)の周壁(11)とを部分的に貼り合わせ、その貼合部(13a,23a)の周りに切目線(13b,23b)を入れ、外箱(2)の貼合部(23a)を引っ張り、切目線(13b,23b)を切断し、内箱(1)の貼合部(13a)を周壁(11)から切り取ると、外箱(1)と内箱(2)とが分離され、内箱(1)から外箱(2)を除去できるようにしたことを特徴とするワンタッチ箱。
【発明の詳細な説明】
【技術分野】
【０００１】
この発明は、八角形等の多角筒状の周壁を有する箱であって、偏平な折畳状態からワンタッチで組み立てられるようにしたものに関する。
【背景技術】
【０００２】
従来、この種のワンタッチ箱として、下記特許文献１には、図１０に示すようなものが記載されている。このワンタッチ箱は、四隅に隅斜面を有する角筒状の周壁５１を形成するため、各一対の側面及び端面をなす側面板５２及び端面板５３、並びに隅斜面をなす隅板５４を連設し、側面板５２及び端面板５３の下端の側底稜線５５及び端底稜線５６からそれぞれ底面をなす底側板５７及び底端板５８を延出した構成とされている。
【０００３】
そして、底面には、側底稜線５５及び端底稜線５６に対し４５°の角度をなすように、一組の対角位置にある隅方向へ向けて斜折線５９が入れられ、底側板５７と底端板５８とは、斜折線５９の片側で貼り合わされている。この対角位置にある隅板５４には、それぞれ天面側から底面側に至る縦折線６０が入れられている。
【０００４】
このようなワンタッチ箱は、斜折線５９に沿った谷折り及び縦折線６０に沿った山折りに伴い、偏平に折り畳むことができるので、嵩張らない状態で保管しておくことができ、商品を梱包する際には、その折畳状態から周壁５１を立体化することにより、底組を完了して、迅速に組み立てることができる。
【先行技術文献】
【特許文献】
【０００５】
【特許文献１】米国特許第７８８６９５８号明細書
【発明の概要】
【発明が解決しようとする課題】
【０００６】
しかしながら、上記のようなワンタッチ箱では、一組の対角位置にある隅板５４に縦折線６０が入れられているため、これらの隅板５４が折癖により組立状態でも縦折線６０に沿って折れ曲がった状態となり、所定の組立形状に保形され難いという問題がある。
【０００７】
そこで、この発明は、八角形等の多角筒状の周壁を有する箱を、ワンタッチで所定形状に組み立てることができ、その形状に保形されるようにすることを課題とする。
【課題を解決するための手段】
【０００８】
上記課題を解決するため、この発明は、対角位置に隅斜面を有する角筒状の周壁を形成するため、各一対の側面及び端面をなす側面板及び端面板並びに隅斜面をなす隅板を連設し、側面板及び端面板の下端からそれぞれ底面をなす底側板及び底端板を延出し、底面には、側面及び端面と底面との境界である側底稜線及び端底稜線に対して４５°の角度をなすように、一組の対角位置にある隅方向へ向けて斜折線を入れ、底側板と底端板とを斜折線の片側で貼り合わせ、斜折線に沿った谷折りに伴い、偏平に折畳可能とし、その折畳状態から周壁を立体化すると、底組が完了するようにしたワンタッチ箱において、前記底端板に、端底稜線に平行する横折線を入れ、折畳時には、隅板が折れ曲がることなく、底端板が横折線に沿って山折りされるようにしたのである。
【０００９】
そして、前記斜折線は、端底稜線の中央から側面に平行する方向へ延ばした延長線を仮想すると共に、端面板の幅の１／２である距離に、隅板の幅である距離を加算した距離だけ、側底稜線の隅板に対して離れた位置から端底稜線に平行する方向へ延ばした延長線を仮想したとき、この延長線の交点を基準点として、側底稜線の方向へ延びるものとし、前記横折線と端底稜線との距離は、斜折線又はその延長線が側底稜線に達する位置と端底稜線との距離の１／２となるようにしたのである。
【００１０】
さらに、上述のワンタッチ箱を内箱として、これに外箱を被せた２ピース構造とし、前記外箱は、周壁が内箱の周壁の外側に沿うものとし、外箱の周壁と内箱の周壁とを部分的に貼り合わせ、その貼合部の周りに切目線を入れ、外箱の貼合部を引っ張り、切目線を切断し、内箱の貼合部を周壁から切り取ると、外箱と内箱とが分離され、内箱から外箱を除去できるようにしたのである。
【発明の効果】
【００１１】
この発明に係るワンタッチ箱では、底端板を、端底稜線に平行する横折線に沿って山折りすることにより、隅板の折り曲げを伴うことなく、偏平な折畳状態とすることができ、その折畳状態から迅速に組み立てることができる。そして、組立状態で隅板に折癖が残存しないので、保形性が損なわれることがなく、所定の組立形状に保形される。
【００１２】
また、折畳時に隅板が折れ曲がらないことから、内箱に外箱を被せた２ピース構造としても、内箱の周壁と外箱の周壁とを貼り合わせた状態で、偏平に折り畳んでおくことができ、その状態から迅速に組み立てることができる。
【図面の簡単な説明】
【００１３】
【図１】この発明に係るワンタッチ箱（内箱）のブランクを示す図
【図２】同上の内箱に被せる外箱のブランクを示す図
【図３】同上の偏平な折畳状態を示す斜視図
【図４】同上の組立過程を横倒しで示す斜視図
【図５】同上の底組完了状態を示す底面図
【図６】同上の外箱天面が開いた組立状態を示す斜視図
【図７】同上の外箱天面を閉じた梱包状態を示す斜視図
【図８】同上の内箱から外箱を外す過程を示す斜視図
【図９】同上の内箱の陳列状態を示す斜視図
【図１０】従来の隅斜面を有するワンタッチ箱の組立状態を横倒しで示す斜視図
【発明を実施するための形態】
【００１４】
以下、この発明の実施形態を添付図面に基づいて説明する。
【００１５】
このワンタッチ箱は、図１に示す段ボールのブランクから組み立てられる内箱１と、図２に示す段ボールのブランクから組み立てられる外箱２とから構成される。
【００１６】
図１に示す内箱１のブランクでは、四隅に隅斜面を有する角筒状の周壁１１を形成するため、側面及び端面となる各一対の側面板１２及び端面板１３が、隅斜面となる隅板１４を介して連設されている。一対の端面板１３に挟まれた一方の側面板１２は高さが低く、周壁１１の一端に位置する他方の側面板１２には、継代片１５が連設されている。
【００１７】
各側面板１２及び端面板１３の下端には、それぞれ底面をなす底側板１６及び底端板１７が連設され、底側板１６及び底端板１７の基部両側縁には、組立時に隅斜面に対応するように、斜辺部分が設けられている。ここで、側面及び端面と底面との境界は、それぞれ側底稜線１８及び端底稜線１９と規定する。
【００１８】
各底側板１６の一側部分には、組立時に底面の中間となる位置の切込から対角位置となる隅方向へ向けて、斜折線１６ａが入れられている。斜折線１６ａは、組立時の底面で側底稜線１８及び端底稜線１９に対して４５°の角度をなし、段ボールの表面から押圧した逆罫線とされている。底側板１６の他側部分は、底面の組み合わせ構造を強化するため、斜折線１６ａを有する一側部分よりも延長されている。
【００１９】
各底端板１７には、端底稜線１９から少し間隔をあけて、端底稜線１９に平行する横折線１７ａが入れられている。横折線１７ａは、段ボールの裏面から押圧した罫線と切目とが断続するリード罫とされている。
【００２０】
端面板１３には、外箱２と貼り合わされる四角形状の貼合部１３ａが設けられ、貼合部１３ａの周囲には、切目が断続する切断用の切目線１３ｂが入れられている。貼合部１３ａの上方には、切り抜かれた手入穴１３ｃが設けられている。
【００２１】
一方の側面板１２には、商品の広告を表面に印刷した広告表示部１２ａが横方向に延びる切目線１２ｂの上方に設けられ、広告表示部１２ａには、幅方向中央で縦方向に延びる折目線１２ｃが入れられている。折目線１２ｃは、広告表示部１２ａを二つ折り可能とするため、リード罫とされている。
【００２２】
この側面板１２の片側に隣接する隅板１４には、切目線１２ｂに連続する切目線１４ｂより上方に、広告表示部１２ａに繋がった支持部１４ａが設けられ、支持部１４ａと他方の隅板１４の上端部には、切込によるロック片１４ｃが設けられている。
【００２３】
また、図２に示す外箱２のブランクでは、四隅に隅斜面を有する角筒状の周壁２１を形成するため、側面及び端面となる各一対の側面板２２及び端面板２３、並びに隅斜面となる隅板２４が連設され、周壁２１の一端に位置する隅板２４に継代片２５が連設されている。周壁２１の折目となる稜線は、折曲抵抗を軽減するため、リード罫とされている。
【００２４】
周壁２１の下部には、内箱１から外箱２を除去する際、側面板２２及び端面板２３を撓ませて外箱２の下面の開口面積を拡大できるように、隅板２４と側面板２２及び端面板２３との境界下部に、深い切込２１ａと浅い切込２１ｂとが入れられている。
【００２５】
各側面板２２及び端面板２３の上端には、それぞれ天面をなす天側板２６及び天端板２７が連設され、天端板２７の基部両側縁には、組立時に隅斜面に対応するように、斜辺部分が設けられている。天側板２６の先端中央部には、差込片２６ａが突設され、天端板２７の先端中央部には、切込による差込溝２７ａが設けられている。
【００２６】
端面板２３には、内箱１と貼り合わされる四角形状の貼合部２３ａが設けられ、貼合部２３ａの両側辺及び上辺には、切目が断続する切断用の切目線２３ｂが入れられている。貼合部２３ａの上方に臨む部分には、押込部２３ｃが切込により設けられ、また、貼合部２３ａの下辺及び押込部２３ｃの上辺には、ヒンジとなる罫線が入れられている。
【００２７】
上記のような内箱１と外箱２のブランクからワンタッチ箱を図３に示す折畳状態となるように製造する際には、図１に示す内箱１のブランクにおいて、各底側板１６を、斜折線１６ａに沿って表面側が窪むように谷折りしつつ、側底稜線１８に沿って周壁１１の内側へ折り曲げると共に、各底端板１７を、横折線１７ａに沿って表面側が突き出すように山折りして、その先端側を周壁１１の内側へ折り曲げる。
【００２８】
そして、各側面板１２とその一側の隅板１４との境界の罫線（図１の矢印Ａの位置）に沿って周壁１１を両側から打ち合わせるように折り曲げ、継代片１５を反対側の隅板１４の内面に貼り付けると共に、各底側板１６の斜折線１６ａより側方の部分を、隣り合う一方の底端板１７の表面に貼り付ける。
【００２９】
また、図２に示す外箱２のブランクを、側面板２２とその一側の隅板２４との境界の罫線（図２の矢印Ｂの位置）に沿って周壁２１を両側から打ち合わせるように折り曲げ、図３に示すように、外箱２の側面板２２及び端面板２３をそれぞれ内箱１の側面板１２及び端面板１３の外面に重ね合わせ、継代片２５を反対側の側面板２２の外面に貼り付けると共に、貼合部１３ａ，２３ａを貼り合わせる。
【００３０】
上記ワンタッチ箱の製造工程は、既存のワンタッチグルアーで行うことができるので、低コストで効率よく製造でき、このように内箱１と外箱２とを一体化して、偏平な折畳状態としておくと、輸送時や保管時に嵩張ることがない。
【００３１】
一方、このワンタッチ箱を使用して商品を梱包する際には、図４に示すように、周壁１１，２１を立体化すると、各一対の底側板１６及び底端板１７が起き上がり、横折線１７ａに沿った底端板１７の折り曲げが延びて、対向する底側板１６同士が噛み合い、図５に示すように、底組が自動的に完了する。
【００３２】
なお、上記のように、偏平に折畳可能とし、その折畳状態からワンタッチでスムーズに底組みできるようにするには、図５に示すような寸法関係としておくとよい。
【００３３】
すなわち、斜折線１６ａは、端底稜線１９の中央から側面に平行する方向へ延ばした延長線ｍを仮想すると共に、端面板１３の幅の１／２である距離Ａに、隅板１４の幅である距離Ｂを加算した距離Ｃだけ、側底稜線１８の隅板１４に対して離れた位置から端底稜線１９に平行する方向へ延ばした延長線ｎを仮想したとき、この延長線ｍ，ｎの交点を基準点ｓとして、側底稜線１８の方向へ延びるものとする。
【００３４】
また、横折線１７ａと端底稜線１９との距離Ｄは、斜折線１６ａ又はその延長線が側底稜線１８に達する位置と端底稜線１９との距離Ｅの１／２となるようにする。
【００３５】
そして、図６に示すように、ワンタッチ箱を正立させて、天面の開口から内箱１の内部に商品を収納し、図７に示すように、天端板２７及び天側板２６を順次対向する方向へ折り曲げて、差込片２６ａを差込溝２７ａに差し込むと、梱包が完了する。
【００３６】
また、このように梱包した商品を小売店へ配送し、店頭で陳列する際には、押込部２３ｃを手入穴１３ｃに押し込んで揺動させ、押込部２３ｃの下方に形成された隙間に手を入れ、貼合部１３ａ，２３ａを外側へ引っ張り、切目線１３ｂ，２３ｂを切断する。
【００３７】
これにより、図８に示すように、貼合部２３ａは、内面に貼合部１３ａが貼り合わされた状態のまま、下辺の罫線をヒンジとして外側へ揺動し、貼合部１３ａが端面板１３から切り取られ、外箱２と内箱１とが分離されるので、内箱１から外箱２を上方へ引き抜き、図９に示す状態で、内箱１に収納された商品を陳列することができる。
【００３８】
上記のような内箱１では、折畳時に隅板１４が折れ曲がることがなく、組立状態で隅板１４に折癖が残存しないので、周壁１１が所定の八角筒状となった組立形状に保形され、良好な体裁で陳列できる。
【００３９】
また、切目線１４ｂ，１２ｂを切断し、広告表示部１２ａを折目線１２ｃに沿って二つ折りにして、隅板１４から切り取った支持部１４ａを反対側の隅板１４の内面に重ね、これに伴い重なり合ったロック片１４ｃを同方向へ折り曲げると、外側へ張り出して保持された広告表示部１２ａにより、訴求効果を得ることができる。
【００４０】
なお、上記実施形態では、内箱１及び外箱２の四隅に隅斜面が設けられ、これらの周壁１１，２１が八角筒状となるものを例示したが、隅斜面が少なくとも一組の対角位置に設けられた箱であれば、その対角位置との関係において、上記のような構成とすることにより、偏平な折畳状態から迅速に組み立てることができ、所定の形状に保形されるワンタッチ箱とすることができる。
【００４１】
また、内箱１と外箱２とから成る２ピース構造のものを例示したが、この発明に係るワンタッチ箱は、内箱１に相当する箱だけから構成される１ピースのものであってもよい。
【符号の説明】
【００４２】
１  内箱
２  外箱
１１  周壁
１２  側面板
１２ａ  広告表示部
１２ｂ  切目線
１２ｃ  折目線
１３  端面板
１３ａ  貼合部
１３ｂ  切目線
１３ｃ  手入穴
１４  隅板
１４ａ  支持部
１４ｂ  切目線
１４ｃ  ロック片
１５  継代片
１６  底側板
１６ａ  斜折線
１７  底端板
１７ａ  横折線
１８  側底稜線
１９  端底稜線
２１  周壁
２１ａ，２１ｂ  切込
２２  側面板
２３  端面板
２３ａ  貼合部
２３ｂ  切目線
２３ｃ  押込部
２４  隅板
２５  継代片
２６  天側板
２６ａ  差込片
２７  天端板
２７ａ  差込溝
【図１】
2014184967.tif 000003
【図２】
2014184967.tif 000004
【図３】
2014184967.tif 000005
【図４】
2014184967.tif 000006
【図５】
2014184967.tif 000007
【図６】
2014184967.tif 000008
【図７】
2014184967.tif 000009
【図８】
2014184967.tif 000010
【図９】
2014184967.tif 000011
【図１０】
2014184967.tif 000012